(57)【特許請求の範囲】
【請求項１】
コモンモードノイズとディファレンシャルモードノイズとを低減させるラインフィルタを備える電動工具であって、
前記ラインフィルタは、磁性体により構成された単一の軸状体を備えており、
前記軸状体には、その軸状体の軸方向における一端面から他端面に至るまで軸方向に延びる少なくとも二本の貫通孔が形成されており、
前記軸状体の少なくとも二本の貫通孔には、少なくとも二本の電線が個々に通されていることを特徴とする電動工具。
【請求項２】
請求項１に記載された電動工具であって、
前記ラインフィルタの一方の貫通孔と他方の貫通孔には、供給電流の向きが逆向きになる電線がそれぞれ通されることを特徴とする電動工具。
【請求項３】
請求項１又は請求項２のいずれかに記載された電動工具であって、
駆動源として整流子とブラシとを備えるモータを使用していることを特徴とする電動工具。
【請求項４】
請求項１から請求項３のいずれかに記載された電動工具であって、
前記ラインフィルタの貫通孔には、前記モータと、そのモータを起動させるスイッチとをつなぐ電線が通されていることを特徴とする電動工具。
【請求項５】
請求項１から請求項３のいずれかに記載された電動工具であって、
前記ラインフィルタの貫通孔には、前記モータと、そのモータを起動させるコントローラとをつなぐ電線が通されていることを特徴とする電動工具。
【請求項６】
請求項１から請求項３のいずれかに記載された電動工具であって、
前記ラインフィルタの貫通孔には、前記コントローラと操作部、及び／又は、表示部とをつなぐ電線が通されていることを特徴とする電動工具。
【請求項７】
請求項１から請求項６のいずれかに記載された電動工具であって、
電動工具のハウジングの内壁面には、前記ラインフィルタの貫通孔と貫通孔との間をそれらの貫通孔の軸心方向両側から押さえる位置決め用の爪が形成されていることを特徴とする電動工具。
【請求項８】
請求項１から請求項７のいずれかに記載された電動工具であって、
前記ハウジングの内壁面は、前記ラインフィルタを囲む部位が弾性体によって覆われていることを特徴とする電動工具。
【発明の詳細な説明】
【技術分野】
【０００１】
本発明は、コモンモードノイズとディファレンシャルモードノイズとを低減させるラインフィルタを備える電動工具に関する。
【背景技術】
【０００２】
電動工具は駆動源としてモータを使用しているため、使用時にノイズが放射される。前記ノイズには、コモンモードノイズとディファレンシャルモードノイズとがある。コモンモードノイズは、図３に示すように、ノイズ電流Ｉｃがノイズ源であるモータ２０から電源線３２の往路３２ｆと帰路３２ｂとを電源方向（同方向）に流れ、アースＥとモータ２０間の浮遊容量Ｃを介して電源線３２に戻されるノイズである（矢印参照）。ディファレンシャルモードノイズは、図２に示すように、ノイズ電流Ｉｄが電源線３２の往路３２ｆから帰路３２ｂに流れるノイズである（矢印参照）。
通常、放射されるノイズは、コモンモードノイズ（図３参照）が支配的なため、一般的な電動工具にはコモンモードノイズ低減用のラインフィルタ１０１のみが設けられている。コモンモードノイズ低減用のラインフィルタ１０１は、図１７に示すように、円筒形の磁性体（フェライト）であり、そのラインフィルタ１０１の内側に電源線３２の往路３２ｆと帰路３２ｂとが通されている。これにより、ノイズ電流Ｉｃに起因する磁界が電源線３２を囲むように配置されたラインフィルタ１０１に集中する。そして、ラインフィルタ１０１の磁気損失によりノイズエネルギー（磁気エネルギー）が熱に変換されてコモンモードノイズが抑制される。
【０００３】
しかし、電動工具の種類によっては、コモンモードノイズのみならずディファレンシャルモードノイズを低減させなければ規格を満足することができない製品がある。
ディファレンシャルモードノイズの場合、前述のように、ノイズ電流Ｉｄは電源線３２の往路３２ｆと帰路３２ｂとを逆向きに流れるため（図２参照）、ラインフィルタ１０１の内側に往路３２ｆと帰路３２ｂとをそのまま通した状態では、ノイズ電流Ｉｄに起因する磁界が打ち消し合って磁気損失が発生せずノイズを低減させることはできない。
このため、図１７に示すように、電源線３２の往路３２ｆと帰路３２ｂを個々に通すラインフィルタ１０２，１０３を追加する必要がある。したがって、コモンモードノイズ、ディファレンシャルモードノイズを低減させなければならない電動工具では、コモンモードノイズ低減用のラインフィルタ１０１と、ディファレンシャルモードノイズ低減用のラインフィルタ１０２，１０３とを個別に設ける必要がある。
【発明の概要】
【発明が解決しようとする課題】
【０００４】
しかし、コモンモードノイズ低減用のラインフィルタ１０１と、ディファレンシャルモードノイズ低減用のラインフィルタ１０２，１０３とを個別に設ける構成では、電動工具のハウジング内にラインフィルタ１０１，１０２，１０３用の広いスペースが必要とされるため、電動工具のハウジングが大きくなる。
さらに、電動工具に対するラインフィルタ１０１，１０２，１０３の組付けも面倒になる。
【０００５】
本発明は、上記問題点を解決するためになされたものであり、本発明が解決しようとする課題は、電動工具のコモンモードノイズとディファレンシャルモードノイズとを低減させるラインフィルタをコンパクトにするとともに、電動工具に対する組付け性を向上させることである。
【課題を解決するための手段】
【０００６】
上記した課題は、各請求項の発明によって解決される。
請求項１の発明は、コモンモードノイズとディファレンシャルモードノイズとを低減させるラインフィルタを備える電動工具であって、前記ラインフィルタは、磁性体により構成された単一の軸状体を備えており、前記軸状体には、その軸状体の軸方向における一端面から他端面に至るまで軸方向に延びる少なくとも二本の貫通孔が形成されており、前記軸状体の少なくとも二本の貫通孔には、少なくとも二本の電線が個々に通されていることを特徴とする。
【０００７】
本発明によると、コモンモードノイズのノイズ電流は二本の電線を同方向に流れるため、前記ノイズ電流により発生する合成磁界が前記二本の電線を囲むようにラインフィルタの外周面近傍に発生する。なお、各々の電線を囲むようにラインフィルタの各貫通孔近傍に発生する磁界は互いに打ち消される。そして、ラインフィルタの外周面近傍の磁界により、そのラインフィルタで磁気損失に起因する熱が発生してノイズエネルギーが消費され、コモンモードノイズが低減される。
また、ディファレンシャルモードノイズのノイズ電流は二本の電線を逆方向に流れるため、前記ノイズ電流により発生する磁界は各々の電線を囲むようにラインフィルタの各貫通孔近傍に発生する。なお、前記二本の電線を囲むようにラインフィルタの外周面近傍に発生する磁界は互いに打ち消される。そして、ラインフィルタの各貫通孔近傍の磁界により、そのラインフィルタで磁気損失に起因する熱が発生し、ディファレンシャルモードノイズが抑制される。
このように、ラインフィルタの外周面近傍でコモンモードノイズを低減させ、ラインフィルタの個々の貫通孔近傍でディファレンシャルモードノイズを低減させる構成のため、一個のラインフィルタで電動工具のコモンモードノイズとディファレンシャルモードノイズとを低減させることができる。したがって、従来のように、複数のラインフィルタを使用する構成と比較してラインフィルタがコンパクトになる。さらに、電動工具に対するラインフィルタの組付け性も向上する。
【０００８】
請求項２の発明によると、前記ラインフィルタの一方の貫通孔と他方の貫通孔には、供給電流の向きが逆向きになる電線がそれぞれ通されることを特徴とする。
請求項３の発明によると、駆動源として整流子とブラシとを備えるモータを使用していることを特徴とする。
即ち、整流子とブラシとの摺動時に大きなノイズを発生させるモータのノイズ対策に請求項１に係るラインフィルタが有効に作用する。
請求項４の発明によると、ラインフィルタの貫通孔には、モータと、そのモータを起動させるスイッチとをつなぐ電線が通されていることを特徴とする。
請求項５の発明によると、ラインフィルタの貫通孔には、モータと、そのモータを起動させるコントローラとをつなぐ電線が通されていることを特徴とする。
これにより、ノイズ源であるモータからのノイズを有効に低減できる。
請求項６の発明によると、ラインフィルタの貫通孔には、コントローラと操作部、及び／又は、表示部とをつなぐ電線が通されていることを特徴とする。
このため、ノイズ源であるコントローラやモータからのノイズを有効に低減できる。
【０００９】
請求項７の発明によると、電動工具のハウジングの内壁面には、前記ラインフィルタの貫通孔と貫通孔との間をそれらの貫通孔の軸心方向両側から押さえる位置決め用の爪が形成されていることを特徴とする。
このように、ラインフィルタの貫通孔と貫通孔との間をそれらの貫通孔の軸心方向両側から爪により押さえる構成のため、それらの貫通孔に電線を通す際に爪が邪魔にならない。
請求項８の発明によると、ハウジングの内壁面は、ラインフィルタを囲む部位が弾性体によって覆われていることを特徴とする。
このため、電動工具の振動や外部からの衝撃等でラインフィルタが損傷し難くなる。
【発明の効果】
【００１０】
本発明によると、一個のラインフィルタで電動工具のコモンモードノイズとディファレンシャルモードノイズとを低減させることができるため、ラインフィルタがコンパクトになり、さらに電動工具への組付けが容易になる。
【図面の簡単な説明】
【００１１】
【図１】本発明の実施形態１に係る電動工具の模式図である。
【図２】電動工具におけるディファレンシャルモードノイズのノイズ電流を表す模式図である。
【図３】電動工具におけるコモンモードノイズのノイズ電流を表す模式図である。
【図４】電動工具におけるラインフィルタの取付け位置を表す模式図である。
【図５】ラインフィルタの斜視図、及びディファレンシャルモードノイズのノイズ電流に起因する磁界を表す斜視図である。
【図６】ディファレンシャルモードノイズのノイズ電流に起因する磁界がラインフィルタに発生する様子を表す模式図である。
【図７】ラインフィルタの斜視図、及びコモンモードノイズのノイズ電流に起因する磁界を表す斜視図である。
【図８】コモンモードノイズのノイズ電流に起因する磁界がラインフィルタに発生する様子を表す模式図である。
【図９】変更例１に係る電動工具におけるラインフィルタの取付け位置を表す模式図である。
【図１０】変更例２に係る電動工具におけるラインフィルタの取付け位置を表す模式図である。
【図１１】変更例３に係るラインフィルタを表す斜視図である。
【図１２】変更例４に係るラインフィルタを表す斜視図である。
【図１３】変更例５に係るラインフィルタを表す斜視図である。
【図１４】ラインフィルタの使用方法の変更例を表す模式斜視図である。
【図１５】変更例６に係るラインフィルタ本体部を表す側面図（Ａ図）、ラインフィルタの取付け例を表す分解斜視図（Ｂ図）、及び模式斜視図（Ｃ図）である。
【図１６】ラインフィルタの取付け例を表す模式斜視図（Ａ図、Ｂ図）である。
【図１７】従来のラインフィルタを表す模式斜視図である。
【発明を実施するための形態】
【００１２】
［実施形態１］
以下、図１から図１６に基づいて、本発明の実施形態１に係る電動工具、及びその電動工具に使用されるラインフィルタについて説明する。
＜電動工具１０の概要について＞
電動工具１０は、モータ２０を駆動源とするハンディタイプの回転工具であり、図１に示すように、筒状のハウジング本体部１２と、そのハウジング本体部１２の後部下面から突出するように形成されたハンドル部１５とからなるハウジングを備えている。
ハウジング本体部１２にはモータ２０が収納されており、そのモータ２０の前方にモータ２０の回転力を増幅する歯車機構２７が収納されている。そして、歯車機構２７の出力軸２７ｐがハウジング本体部１２の先端位置に装着された工具装着部２９に連結されている。
【００１３】
また、ハンドル部１５の基端部には、使用者が指先で引き操作するトリガ１８ｔを備える変速スイッチ１８が設けられている。また、ハンドル部１５の先端部（下端部）には、電源コード１７が設けられている。
モータ２０は、固定子巻き線２１と電機子巻き線２２とが直列に接続された直巻電動機であり、整流子２３とブラシ２４とを備えている。そして、図２、図３の電気回路図に示すように、電源線３２の往路３２ｆに変速スイッチ１８と、モータ２０の固定子巻き線２１、ブラシ２４、整流子２３、及び電機子巻き線２２の一端側が直列に接続されている。また、電源線３２の帰路３２ｂにモータ２０の固定子巻き線２１、ブラシ２４、整流子２３、及び電機子巻き線２２の他端側が直列に接続されている。
さらに、前記電気回路において変速スイッチ１８とモータ２０との間には、図１、図４等に示すように、電動工具１０のブラシ２４と整流子２３間で発生するノイズを低減させるためのラインフィルタ４０が設けられている。
なお、図２、図３では、ラインフィルタ４０は省略されている。
【００１４】
＜ラインフィルタ４０について＞
ラインフィルタ４０は、図５等に示すように、フェライト等の磁性体により構成された断面略楕円形をした軸状体であり、軸方向に延びる二本の貫通孔４３を備えている。そして、ラインフィルタ４０の二本の貫通孔４３に電源線３２の往路３２ｆと帰路３２ｂとがそれぞれ通されている。二個の貫通孔４３は、図６に示すように、略楕円状のラインフィルタ４０の長軸Ｊ上であって、その長軸Ｊをほぼ３等分する位置に形成されている。
【００１５】
＜ラインフィルタ４０の働きについて＞
電動工具１０のモータ２０が駆動されてブラシ２４と整流子２３間でノイズが発生すると、そのノイズ（ディファレンシャルモードノイズ＋コモンモードノイズ）が電源線３２等を経由して外部に放射される。
先ず、図２、図５、図６に基づいて、ディファレンシャルモードノイズに対するラインフィルタ４０の働きを説明する。ディファレンシャルモードノイズの場合、ノイズ電流Ｉｄは、図２に示すように、電源線３２の往路３２ｆから帰路３２ｂの方向に流れる。このため、図５、図６において、電源線３２の往路３２ｆと帰路３２ｂとを流れるノイズ電流Ｉｄの向きは逆向きとなる。
なお、ノイズ電流Ｉｄは交流であるため、そのノイズ電流Ｉｄの向きは当然図とは逆向きになることもある。
【００１６】
このため、電源線３２の往路３２ｆを流れるノイズ電流Ｉｄに起因する磁界Ｂ１１＋Ｂ１２（実線参照）は、図６の左図においてラインフィルタ４０の上の貫通孔４３を中心にして右回りに発生する。また、電源線３２の帰路３２ｂを流れるノイズ電流Ｉｄに起因する磁界Ｂ２１＋Ｂ２２（点線参照）は、図６の左図においてラインフィルタ４０の下の貫通孔４３を中心にして左回りに発生する。電源線３２の往路３２ｆと帰路３２ｂとを流れるノイズ電流Ｉｄは、向きが逆で大きさは等しいため、磁界Ｂ１１＋Ｂ１２と磁界Ｂ２１＋Ｂ２２も向きが逆で大きさは等しい。したがって、電源線３２の往路３２ｆと帰路３２ｂとを囲むようにラインフィルタ４０の外周面近傍を通る磁界Ｂ１２と磁界Ｂ２２とは互いに打ち消される。そして、図６の右図に示すように、電源線３２の往路３２ｆを囲むラインフィルタ４０の上の貫通孔４３近傍に発生する磁界Ｂ１１と、帰路３２ｂを囲むようにラインフィルタ４０の下の貫通孔４３近傍に発生する磁界Ｂ２１とが打ち消されずに残るようになる。
即ち、ノイズ電流Ｉｄによりラインフィルタ４０の各貫通孔４３近傍に磁界Ｂ１１と磁界Ｂ２１とが発生するため、ラインフィルタ４０で磁気損失に起因する熱が発生してノイズエネルギーが消費され、ディファレンシャルモードノイズが低減される。
【００１７】
次に、図３、図７、図８に基づいて、コモンモードノイズに対するラインフィルタ４０の働きを説明する。コモンモードノイズの場合、ノイズ電流Ｉｃは、図３に示すように、ノイズ源であるモータ２０から電源線３２の往路３２ｆと帰路３２ｂとを電源方向に流れる。このため、図７、図８において、電源線３２の往路３２ｆと帰路３２ｂとを流れるノイズ電流Ｉｃの向きは同方向になる。
なお、ノイズ電流Ｉｃは交流であるため、そのノイズ電流Ｉｃの向きは当然図とは逆向きになることもある。
【００１８】
このため、電源線３２の往路３２ｆを流れるノイズ電流Ｉｃに起因する磁界Ｂ３１＋Ｂ３２は、図８の左図においてラインフィルタ４０の上の貫通孔４３を中心にして右回りに発生する。また、電源線３２の帰路３２ｂを流れるノイズ電流Ｉｃに起因する磁界Ｂ４１＋Ｂ４２も、図８の左図においてラインフィルタ４０の下の貫通孔４３を中心にして右回りに発生する。電源線３２の往路３２ｆと帰路３２ｂとを流れるノイズ電流Ｉｃは、同じ向きで大きさは等しいため、磁界Ｂ３１＋Ｂ３２と磁界Ｂ４１＋Ｂ４２も向きが同じで大きさは等しい。したがって、電源線３２の往路３２ｆと帰路３２ｂとを囲むようにラインフィルタ４０の外周面近傍を通る磁界Ｂ３２と磁界Ｂ４２とは互いに加算される（合成される（図８右図参照））。逆に、図８の左図に示すように、電源線３２の往路３２ｆを囲むようにラインフィルタ４０の上の貫通孔４３近傍に発生する磁界Ｂ３１と、帰路３２ｂを囲むようにラインフィルタ４０の下の貫通孔４３近傍に発生する磁界Ｂ４１とが打ち消されるようになる。
即ち、ノイズ電流Ｉｃによりラインフィルタ４０の外周面近傍で磁界Ｂ３２と磁界Ｂ４２とが発生するため、ラインフィルタ４０で磁気損失に起因する熱が発生してノイズエネルギーが消費され、コモンモードノイズが低減される。
このように、ラインフィルタ４０の外周面近傍でコモンモードノイズが低減され、ラインフィルタ４０の各貫通孔４３の近傍でディファレンシャルモードノイズが低減されるようになる。
即ち、電源線３２の往路３２ｆと帰路３２ｂとが本発明の供給電流の向きが逆向きになる二本の電線に相当する。
【００１９】
＜本実施形態に係る電動工具１０の長所について＞
本実施形態に係る電動工具１０によると、ラインフィルタ４０の外周面近傍でコモンモードノイズを低減させ、ラインフィルタ４０の個々の貫通孔４３近傍でディファレンシャルモードノイズを低減させる構成のため、一個のラインフィルタ４０で電動工具１０のコモンモードノイズとディファレンシャルモードノイズとを低減させることができる。したがって、従来のように、複数のラインフィルタ１０１，１０２，１０３を使用する構成と比較してラインフィルタ４０がコンパクトになる。さらに、電動工具１０に対するラインフィルタ４０の組付け性も向上する。
また、ラインフィルタ４０の貫通孔４３には、モータ２０と変速スイッチ１８とをつなぐ電源線３２が通されているため、ノイズ源であるモータ２０からのノイズを有効に低減できる。
【００２０】
＜変更例＞
ここで、本発明は上記実施形態に限定されるものではなく、本発明の要旨を逸脱しない範囲における変更が可能である。例えば、本実施形態に係る電動工具１０では、図４に示すように、電気回路において変速スイッチ１８とモータ２０との間にラインフィルタ４０を設ける例を示した。しかし、図９に示すように、モータ２０をコントローラ１９により制御する電動工具１０の場合、モータ２０とコントローラ１９間にラインフィルタ４０を設けることも可能である。また、図１０に示すように、電動工具１０のコントローラ１９と表示部・操作部１９ｗとの間にラインフィルタ４０を設けることも可能である。
また、本実施形態では、図５等に示すように、軸方向に二本の貫通孔４３を備える断面略楕円形のラインフィルタ４０を例示したが、図１１、図１２に示すように、ラインフィルタ４０に補助部を付加することも可能である。
【００２１】
即ち、図１１に示すラインフィルタ５０は、前記ラインフィルタ４０（ラインフィルタ本体部４０）と、そのラインフィルタ本体部４０と等しい径寸法の楕円筒状のフィルタ補助部５４とから構成されている。そして、ラインフィルタ本体部４０とフィルタ補助部５４とが、図１１の下図に示すように、接着剤等により同軸となるように接続されて、フィルタ補助部５４の楕円貫通穴５４ｈとラインフィルタ本体部４０の貫通孔４３とが連通している。そして、フィルタ補助部５４の楕円貫通穴５４ｈに電源線３２の往路３２ｆと帰路３２ｂとがまとめて通され、ラインフィルタ本体部４０の各貫通孔４３に電源線３２の往路３２ｆと帰路３２ｂとがそれぞれ通されるようになっている。このように、フィルタ補助部５４を追加した分だけ電動工具１０のコモンモードノイズをさらに低減させることができる。
図１２に示すラインフィルタ５０は、前記ラインフィルタ本体部４０と、ラインフィルタ本体部４０の貫通孔４３と同径の貫通孔５５ｈを備える円筒形フィルタ補助部５５とから構成されている。そして、図１２の下図に示すように、ラインフィルタ本体部４０と円筒形フィルタ補助部５５とが互いの貫通孔４３，５５ｈの位置で接着剤等により接続されている。そして、円筒形フィルタ補助部５５の貫通孔５５ｈとラインフィルタ本体部４０の貫通孔４３とからなる上下二本の貫通孔４３，５５ｈに電源線３２の往路３２ｆと帰路３２ｂとがそれぞれ通されるようになっている。このように、円筒形フィルタ補助部５５を追加した分だけ電動工具１０のディファレンシャルモードノイズをさらに低減させることができる。
【００２２】
また、本実施形態では、ラインフィルタ４０を一体に成形する例を示したが、図１３に示すように、ラインフィルタ４０の上側分割片４０ａと下側分割片４０ｂとをそれぞれ作成し、それらの分割片４０ａ，４０ｂを接着剤等により接続してラインフィルタ４０を構成することも可能である。
また、本実施形態では、ラインフィルタ４０の二本の貫通孔４３に電源線３２の往路３２ｆと帰路３２ｂとをそれぞれ通す例を示したが、図１４に示すように、例えば、電源線３２の往路３２ｆのみを一方の貫通孔４３から他方の貫通孔４３に通すことも可能である。これにより、二本の貫通孔４３を備えるラインフィルタ４０をディファレンシャルモードノイズの低減用のラインフィルタとして使用できるようになる。
【００２３】
上記したように、ラインフィルタ４０の貫通孔４３は電源線３２を通すだけの構成であるため、貫通孔４３の径寸法は軸方向において一定である。このため、ラインフィルタ４０が振動等により電源線３２に沿って移動することがある。この点を改善するため、図１５（Ａ）に示すように、ラインフィルタ４０の貫通孔４３の内壁面に突起４３ｔを形成し、突起４３ｔ間に電源線３２を挟み込むことで電源線３２に対するラインフィルタ４０の移動を防止することができる。ラインフィルタ４０の貫通孔４３に突起４３ｔを形成するためは、ラインフィルタ４０を、図１５（Ｂ）に示すように、貫通孔４３となる溝を備える断面Ｅ字形のラインフィルタ本体部４１ｍと、前記溝の開口を塞ぐ板状の蓋部４１ｈとから構成するのが好ましい。ラインフィルタ本体部４１ｍと蓋部４１ｈとは、電動工具１０の半割りタイプのハウジングを構成するハンドル部１５の一方と他方とにそれぞれ取付けられている。そして、ハンドル部１５の一方と他方とが合わせられるときに、図１５（Ｃ）に示すように、ラインフィルタ本体部４１ｍと蓋部４１ｈとが接続されてラインフィルタ４０が構成される。
【００２４】
また、ラインフィルタ４０を半割りタイプのハンドル部１５の一方に取付ける際に、図１６（Ａ）に示すように、ハンドル部１５の内壁面に一対の爪１５ｋを形成し、その一対の爪１５ｋでラインフィルタ４０の貫通孔４３と貫通孔４３の間をラインフィルタ４０の軸方向両側から押さえて位置決めするのが好ましい。これにより、両貫通孔４３に電源線３２の往路３２ｆと帰路３２ｂとを通す際に爪１５ｋが邪魔になることがない。
ここで、ラインフィルタ４０を衝撃等から保護するため、ラインフィルタ４０を囲むようにハンドル部１５の内壁面を発泡ゴム等からなるエラストマ１５ｅで覆うようにするのが好ましい。
また、本実施形態では、ラインフィルタ４０の断面形状を略楕円形、あるいは角形に形成する例を示したが、ラインフィルタ４０の断面形状を円形にする等、適宜変更することが可能である。
また、本実施形態では、ハンディタイプの電動工具１０のラインフィルタ４０，５０について説明したが、前記ラインフィルタ４０，５０をハンディタイプ以外の定置式や可搬式の電動工具に使用することも可能である。また、バッテリを電源としたコードレス電動工具に、前記ラインフィルタ４０，５０を使用することも可能である。さらに、交流電源から直流電源を作り、その直流電源を利用する電動工具に前記ラインフィルタ４０，５０を使用することも可能である。また、刈り込み機等の園芸電動工具に前記ラインフィルタ４０，５０を使用することも可能である。
【符号の説明】
【００２５】
１０・・・・電動工具
１５ｋ・・・爪
１５ｅ・・・エラストマ（弾性体）
１８・・・・変速スイッチ
１９・・・・コントローラ
１９ｗ・・・表示部・操作部
２０・・・・モータ
２３・・・・整流子
２４・・・・ブラシ
３２ｂ・・・帰路（電線）
３２ｆ・・・往路（電線）
３２・・・・電源線（電線）
４０・・・・ラインフィルタ
４３・・・・貫通孔
【図１】
0005638416.tif 000002
【図２】
0005638416.tif 000003
【図３】
0005638416.tif 000004
【図４】
0005638416.tif 000005
【図５】
0005638416.tif 000006
【図６】
0005638416.tif 000007
【図７】
0005638416.tif 000008
【図８】
0005638416.tif 000009
【図９】
0005638416.tif 000010
【図１０】
0005638416.tif 000011
【図１１】
0005638416.tif 000012
【図１２】
0005638416.tif 000013
【図１３】
0005638416.tif 000014
【図１４】
0005638416.tif 000015
【図１５】
0005638416.tif 000016
【図１６】
0005638416.tif 000017
【図１７】
0005638416.tif 000018